(57)【要約】【課題】プールの一部に設置されるプール床を撓みを生じることなく昇降させることができ、設置構造が簡単で低コストであるプール床の昇降装置を提供する。【解決手段】プール底に軸支される軸９に固定されるスプロケットにプッシュチェーン１２を掛け、スプロケット上端の固定金具１３が、その偏心位置においてプール床６に連結され、プール床６の重量により取付金具１３に掛かる力Ｆによりプッシュチェーン１２に屈曲する向きと逆向きのモーメントが掛かるようにしてある。プッシュチェーン１２にはまた、スプロケット１１から立ち上がる部分のスプロケット側にスライドガイド１４、１５を配置し、プール床６を支持するプッシュチェーン１２に座屈が生じないようにしてある。【選択図】図３
2006045844.tif 000002
【特許請求の範囲】
【請求項１】
プールに昇降可能に設置されるプール床の昇降装置であって、プールの底面に軸支される回転軸に１ないし複数、適当間隔をおいて固着されるスプロケットと、プールの底面に沿い、スプロケットに掛けられて垂直に方向転換し、プール床に連結されるプッシュチェーンと、上記回転軸を回転駆動するモータよりなることを特徴とするプール床の昇降装置。
【請求項２】
プール床が浮力を持たせるための空洞部を有することを特徴とする請求項１記載のプール床の昇降装置。
【請求項３】
プッシュチェーンは屈曲する向きと逆向きのモーメントが掛かるように偏心位置においてプール床に連結されることを特徴とする請求項１又は２記載のプール床の昇降装置。
【請求項４】
スプロケットからプール床に至る間のプッシュチェーン全体或いはその一部をガイドするガイド手段が設けられることを特徴とする請求項１ないし３のいずれかの請求項に記載のプール床の昇降装置。
【発明の詳細な説明】
【技術分野】
【０００１】
本発明は、プールの水深を変えることができるようにするためにプールに昇降可能に設置されるプール床の昇降装置に関する。
【背景技術】
【０００２】
この種プール床を昇降させる装置としては、下記特許文献１に開示されるように、プールサイドの地下にプールサイドに沿って配設される回転軸と、該回転軸を回転駆動するモータと、プールサイドの地下上下に配置されるスプロケットと、回転軸に固着のスプロケットとに掛け渡される無端チェーンとよりなり、モータにより回転軸を回転駆動し、無端チェーンを循環駆動させて該チェーンに連結されるプール床を昇降させるようにしたタイプの装置が知られる。
【０００３】
プール床の昇降装置としてはこのほか、下記特許文献２に開示されるように、プールの底面に掘削されたピット内に水圧シリンダーを複数配置し、各水圧シリンダーでプール床を昇降可能に支持するタイプの装置が知られる。
【特許文献１】特開２００１−９８７８２号
【特許文献２】特開平９−１１９８３１号
【発明の開示】
【発明が解決しようとする課題】
【０００４】
特許文献１に開示されるプール床は、その両サイドで昇降装置に昇降可能に支持されるものであるため、その中間部を水中歩行したり、人が立つと凹んで撓みやすい。プール床が撓まないように剛性を上げるのは、プール床のコスト高をもたらし、またプール床を昇降させる動力を増大させる。
【０００５】
またプール床をプールの一部、例えばプールを二分割又は四分割した箇所に設置することが望まれることがあるが、こうしたニーズに対しては、プール床の両サイドを支持する昇降装置を用いることができないか、用いることが困難である。
【０００６】
特許文献２に開示されるプール床のように、水圧シリンダーでプール床を昇降させるタイプのものでは、上記の問題を解消することができるが、プールの底面にピットを形成するのは工事費が嵩み、コスト高をもたらす。
【０００７】
本発明は、低コストでプール床の撓みを解消することができるか、及び／若しくはプールの一部に設置されるプール床を昇降させることができるプール床の昇降装置を提供することを目的とする。
【課題を解決するための手段】
【０００８】
請求項１に係わる発明は、プールに昇降可能に設置されるプール床の昇降装置に関するもので、プールの底面に軸支される回転軸に１ないし複数、適当間隔をおいて固着されるスプロケットと、プールの底面に沿い、スプロケットに掛けられて垂直に方向転換し、プール床に連結されるプッシュチェーンと、上記回転軸を回転駆動するモータよりなることを特徴とする。
【０００９】
ここでプッシュチェーンは、例えば図１に示すように、チェーン１の各リンクに概略コ型断面の屈曲防止片２を取付け、屈曲防止片２同士が一方向にのみ屈曲できるようにしたものである。
【００１０】
請求項２に係わる発明は、請求項１に係わる発明において、プール床が浮力を持たせるための空洞部を有することを特徴とし、
請求項３に係わる発明は、請求項１又は２に係わる発明において、プッシュチェーンは屈曲する向きと逆向きのモーメントが掛かるように偏心位置においてプール床に連結されることを特徴とする。
【００１１】
また請求項４に係わる発明は、請求項１〜３に係わる発明において、スプロケットからプール床に至る間のプッシュチェーン全体或いはその一部をガイドするガイド手段が設けられることを特徴とする。このガイド手段は、プッシュチェーンがスライドしてガイドされるもので、プッシュチェーンの一側、好ましくは両側に配置される。
【発明の効果】
【００１２】
請求項１に係わる発明の昇降装置によると、プッシュチェーンが水圧シリンダーと同様、プール床の垂直荷重を支持し、この状態でプッシュチェーンがスプロケットにより垂直方向に繰り出され、或いは引込められることによりプール床が昇降する。プッシュチェーンはまた、プール床の中央部や側縁などプール床の所望位置に連結することが可能であり、撓みの多い箇所に連結することによりプール床の撓みを最も少なくすることができること、プールの一部、例えばプールを二分割或いは四分割した箇所に設置したプール床の昇降が可能となること、プール底にはスプロケットが配置されるだけで、ビットの形式などが不要であるため、昇降装置を設置するための構造が簡単となることなどの効果を奏する。
【００１３】
請求項２に係わる発明の昇降装置によると、プール床を軽量化することができ、プッシュチェーンの座屈を生じにくくさせることができる。
【００１４】
請求項３に係わる発明の昇降装置によると、プッシュチェーンがプール床の垂直荷重を確実に支持することができる。
【００１５】
請求項４に係わる発明の昇降装置によると、プッシュチェーンの座屈をより生じにくくさせることができる。
【発明を実施するための最良の形態】
【００１６】
図２は、プール５を四分割して、その一部にプール床６を配置した例を示すもので、プールサイドの地下にはモータ７によって回転駆動される回転軸８が配置され、回転軸８と直交してプール底上に並設される軸９に回転軸８からベベルギアを介して回転が伝えられるようにしてある。
【００１７】
軸９には、モータ７、回転軸８及び後述のプッシュチェーンと共に、プール床６の昇降装置を構成する一対のスプロケット１１が一定の間隔を存して固定され、各スプロケット１１には図３に示すように、図１に示すプッシュチェーン１２が掛けられて屈折し、立ち上がり部分の上端に取付けられる取付金具１３がプール床６に偏心位置において、回動可能に軸着されるか、或いは固定され、矢印で示すように、プール床６の重量により取付金具１３に掛かる力Ｆによりプッシュチェーン１２に屈曲する向きと逆向きのモーメントが掛かるようにしてある。プッシュチェーン１２のスプロケット１１で横向きに方向転換された部分は、プール床に這わせて自由端としてある。
【００１８】
プッシュチェーン１２にはまた、スプロケット１１近くの立ち上がり部分の片側、好ましくは図示するように両側にガイド手段としてのスライドガイド１４、１５が配置され、プッシュチェーン１２が座屈しないように、その昇降をガイドしている。なおプッシュチェーン１２は水中で錆付かないようにステンレス製とされている。
【００１９】
プール床６は、中空の樹脂製で、内部を縦リブ１６で仕切って複数の空気室１７を形成してなるもので、空気室１７によりプール床６に適度の浮力を持たせるようにしてある。
【００２０】
本実施形態の昇降装置によると、プール床６はプッシュチェーン１２によって複数か所、図示する例では６か所で支持され、スプロケット１１によるプッシュチェーン１２の繰り出し、或いは繰り込みにより昇降すること、プッシュチェーン１２はプール床６が中空構造をなして軽量であると共に、その偏心位置においてプール床６に連結され、またスライドガイド１４、１５によって両側から動きを拘束されることにより座屈を生じにくくしてプール床６を支持するようになっており、プール床６の支持を確実に行うことができる。またプール底にはスプロケット１１が配置されてあるだけで、昇降装置を設置するための構造が簡単であり、既存のプールに対しても回転軸１３を取り付けるためにプールサイドの構造に僅かな変更を加えるのみで取付けることができる。
【００２１】
図２に示すプール床６は、プール５を四分割してその一部に配置した例を示すものであるが、二分割してその一部に配置してもよいし、プール床をプールに例えば２〜４の複数個配置し、各プール床に段差を付けて、個々に昇降させるようにしてもよい。
【産業上の利用可能性】
【００２２】
本発明の昇降装置は、プールの一部のみに設置されるプール床のみならず、プール全面に設置されるプール床に対しても適用することができる。
【図面の簡単な説明】
【００２３】
【図１】プッシュチェーンの一部を示す正面図。
【図２】プールを四分割した箇所に設置されるプール床を昇降させるための装置の概略図。
【図３】プール床昇降装置の正面図。
【符号の説明】
【００２４】
１・・チェーン
２・・屈曲防止片
５・・プール
６・・プール床
７・・モータ
８・・回転軸
９・・軸
１１・・スプロケット
１２・・プッシュチェーン
１３・・取付金具
１４、１５・・スライドガイド
１６・・縦リブ
１７・・空気室
【図１】
2006045844.tif 000003
【図２】
2006045844.tif 000004
【図３】
2006045844.tif 000005